(57)【要約】【課題】特定空間に存在する人に対して、最適な情報をテレビ画像により提供可能な特定空間放送設備を提供する。【解決手段】特定された空間１１を複数に区切った区間１１-１〜１１-Ｎ毎にテレビ放送用の電波を送信するアンテナ８-１〜８-Ｎそれぞれ設け、各区間１１-１〜１１-Ｎに適応したテレビ放送用の情報を、区間放送作成装置９により各区間別に作成し、アンテナ８-１〜８-Ｎから送信させるべく出力する。また、一般放送局からのテレビ放送電波を受信装置２で受信し、この受信した情報をアンテナ８-１〜８-Ｎから再送信させるべく出力する。前記区間毎のアンテナに対応してそれぞれ設けられ、この受信装置２から出力された情報と区間放送作成装置９から出力された区間別の情報のいずれかを切換器３-１〜３-Ｎで選択して対応するアンテナ８-１〜８-Ｎから送信させる。【選択図】図１
2010219632.tif 000002
【特許請求の範囲】
【請求項１】
特定された空間を複数に区切った区間毎にそれぞれ設けられ、対応する区間にテレビ放送用の電波を送信するアンテナと、
前記各区間に適応したテレビ放送用の情報を各区間別に作成し、この区間別の情報を対応する区間に設けられた前記アンテナから送信させる区間放送作成装置と、
を備えたことを特徴とする特定空間放送設備。
【請求項２】
特定された空間を複数に区切った区間毎にそれぞれ設けられ、対応する区間にテレビ放送用の電波を送信するアンテナと、
前記各区間に適応したテレビ放送用の情報を各区間別に作成し、この区間別の情報を対応する区間に設けられた前記アンテナから送信させるべく出力する区間放送作成装置と、
一般放送局からのテレビ放送電波を受信し、この受信した情報を前記区間毎のアンテナから再送信させるべく出力する受信装置と、
前記区間毎のアンテナに対応してそれぞれ設けられ、前記受信装置から出力された情報と区間放送作成装置から出力された区間別の情報のいずれかを選択して対応するアンテナから送信させる切換器と、
を備えたことを特徴とする特定空間放送設備。
【請求項３】
前記区間放送作成装置が作成する区間別の情報は、対応する区間の緊急時の避難箇所を表す情報であることを特徴とする請求項１又は請求項２に記載の特定空間放送設備。
【請求項４】
前記区間放送作成装置が作成する区間別の情報は、緊急時における緊急事象発生個所と対応する区間との位置関係を表す情報であることを特徴とする請求項１乃至請求項３のいずれかに記載の特定空間放送設備。
【発明の詳細な説明】
【技術分野】
【０００１】
本発明は、道路トンネルなどのように、特定された空間においてテレビ放送を実現する特定空間放送設備に関する。
【背景技術】
【０００２】
これまで、高速道路やそのトンネル内などの特定された空間において、事故や災害などの緊急事象が発生した場合に、その特定空間に存在する不特定多数に、この緊急事象発生を報知することが考えられている。この報知手段としては、走行車両に備えられたラジオ受信機などに情報を送信することが一般的に行われていた。
【０００３】
近年、地上波デジタル放送の普及により、ドライバーも車内で地上波デジタル放送を受信できるようになってきており、テレビ画面により緊急事象発生を報知する提案も行われている（例えば、特許文献１参照）。
【先行技術文献】
【特許文献】
【０００４】
【特許文献１】特開２００７−２４３９０６号公報
【発明の概要】
【発明が解決しようとする課題】
【０００５】
しかし、これまでの緊急事象の報知情報は、緊急事象発生を報知するだけの内容が殆どであり、不特定多数に画一的内容の情報を提供するものであった。しかし、実際には不特定多数の人は各種条件の下に特定空間内に存在しており、画一的内容の情報を提供するだけでは不十分であった。
【０００６】
本発明の目的は、特定空間に存在する人に対して、最適な情報をテレビ画像により提供可能な特定空間放送設備を提供することにある。
【課題を解決するための手段】
【０００７】
本発明による特定空間放送設備は、特定された空間を複数に区切った区間毎にそれぞれ設けられ、対応する区間にテレビ放送用の電波を送信するアンテナと、前記各区間に適応したテレビ放送用の情報を各区間別に作成し、この区間別の情報を対応する区間に設けられた前記アンテナから送信させる区間放送作成装置とを備えたことを特徴とする。
【０００８】
また、本発明による特定空間放送設備は、特定された空間を複数に区切った区間毎にそれぞれ設けられ、対応する区間にテレビ放送用の電波を送信するアンテナと、前記各区間に適応したテレビ放送用の情報を各区間別に作成し、この区間別の情報を対応する区間に設けられた前記アンテナから送信させるべく出力する区間放送作成装置と、一般放送局からのテレビ放送電波を受信し、この受信した情報を前記区間毎のアンテナから再送信させるべく出力する受信装置と、前記区間毎のアンテナに対応してそれぞれ設けられ、前記受信装置から出力された情報と区間放送作成装置から出力された区間別の情報のいずれかを選択して対応するアンテナから送信させる切換器とを備えた構成でもよい。
【０００９】
本発明では、前記区間放送作成装置が作成する区間別の情報は、対応する区間の緊急時の避難箇所を表す情報である。
【００１０】
また、本発明では、前記区間放送作成装置が作成する区間別の情報は、緊急時における緊急事象発生個所と対応する区間との位置関係を表す情報でもよい。
【発明の効果】
【００１１】
本発明によれば、特定空間内に存在する人がどの区間に位置するかなど、それぞれの状況に対応した最適な情報を、目視により解り易いテレビ画像により提供するので、避難などを的確かつ安全に行うことができる。
【図面の簡単な説明】
【００１２】
【図１】本発明による特定空間放送設備の一実施の形態を示す図である。
【発明を実施するための形態】
【００１３】
以下、本発明による特定空間放送設備の一実施の形態について、図面を参照しながら詳細に説明する。
【００１４】
本発明は、前述したように、特定空間に存在する不特定多数に対してテレビ放送を実現するものであり、この実施の形態では、特定された空間として、長大な道路トンネルを例にとって説明する。
【００１５】
図１において、１１は特定された空間としてのトンネルであり、その内部は、車両の走行方向に沿って複数区間１１−１〜１１−Ｎに区切られている。１２はトンネル電気室であり、上記トンネル１１内を監視制御するための各種電気機器が設けられている。
【００１６】
トンネル１１（特定された空間）内を複数に区切った区間１１−１〜１１−Ｎにはアンテナ８（対応する区間のサフィックス１〜Ｎを付している）がそれぞれ設けられており、対応する区間にテレビ放送用の電波を送信する。
【００１７】
トンネル電気室１２には、区間放送作成装置９が設けられており、トンネル１１内の各区間１１−１〜１１−Ｎに適応したテレビ放送用の情報を各区間別に作成する。そして、この区間別の情報（例えば、区間１１-１への情報とする）を、対応する区間１１−１に設けられたアンテナ８−１から送信させるべく出力する。
【００１８】
受信装置２は、図示しない一般の地上波デジタル放送局からのテレビ放送電波をアンテナ１により受信する。そして、この受信した情報を区間１１−１〜１１−Ｎ毎のアンテナ８−１〜８−Ｎから再送信させるべく出力する。
【００１９】
切換器３−１〜３−Ｎは、区間毎のアンテナ８−１〜８−Ｎに対応してそれぞれ設けられ、受信装置２で受信した情報と区間放送作成装置９が作成した区間別の情報とのいずれかを選択して、対応するアンテナ８−１〜８−Ｎへ送信する。
【００２０】
なお、各切換器３−１〜３−Ｎと対応するアンテナ８−１〜８−Ｎとの間には、情報伝送手段として光送信器６−１〜６−Ｎ及び光増幅器７−１〜７−Ｎが設けられている。光送信器６−１〜６−Ｎは、切換器３−１〜３−Ｎの出力を光変換し、トンネル１１内の各区間１１−１〜１１−Ｎに設けた光増幅器７−１〜７−Ｎに送信する。光増幅器７−１〜７−Ｎは、光信号をＲＦ信号に変換して、対応するアンテナ８−１〜８−Ｎに送信し、これらアンテナ８−１〜８−Ｎからトンネル１１内の各区間１１−１〜１１−Ｎにテレビ放送を配信する。
【００２１】
区間放送作成装置９が作成する区間１１−１〜１１−Ｎ別の情報としては、例えば、対応する区間の緊急時の避難箇所を表す画像情報とする。すなわち、トンネル１１内には複数の避難箇所（外部への避難通路入り口など）が設けられている。これらの設置位置は各区間１１-１〜１１-Ｎで共通ではなく、それぞれ異なる場合が殆どである。したがって、各区間１１-１〜１１-Ｎ毎に避難箇所を表す画像情報を作成し、対応する区間に放送すれば、その区間内に存在する車両のテレビ受像機によりその設置位置を把握することができ、その区間に存在する人の安全性確保に効果がある。
【００２２】
また、この他に、緊急時における緊急事象発生個所と対応する区間との位置関係を表す画像情報であってもよい。例えば、区間１１-４で車両火災が発生した場合、区間放送作成装置９は、区間１１-４で車両火災が発生したことを報知する。また、他の区間１１-１〜１１-３及び１１-５〜１１-Ｎに対して、予め設定された各区間距離データを用いて、その車両火災発生箇所から各区間までの距離を求める。そして、この求められた区間別の距離を、数値データで表すと共に、トンネルを模擬した図形などを用いて視覚的に表示するべく、それぞれのデータを作成し、各区簡に配信する。このようにすれば、各区間に存在する人は、車両のテレビ受像機により車両火災発生箇所から各自区間までの距離を的確に把握することができ、安全性確保に効果がある。
【００２３】
上記構成において、平常時、切換器３−１〜３−Ｎは受信装置２側に切換えられており、アンテナ１で受信した一般の地上波デジタル放送（ワンセグ放送でもよい）の情報を、各区間１１−１〜１１−Ｎに設けられた光送信器６−１〜６−Ｎ及び光増幅器７−１〜７−Ｎを介して各アンテナ８−１〜８−Ｎに送り、これらから再送信させる。したがって、トンネル１１内を走行する車両のドライバーは、車内で地上波デジタル放送（又はワンセグ放送）を受信することができる。
【００２４】
これに対し、トンネル１１内のある区間で緊急事象が発生した場合、区間放送作成装置９は、トンネル内に設置された図示しないセンサーなどによりこの緊急事象を検出し、切換器３−１〜３−Ｎを一斉に区間放送作成装置９側に切換える。区間放送作成装置９は、各区間１１−１〜１１−Ｎに適応したテレビ放送用の情報を各区間別に出力し、この区間別の情報を、対応する区間１１−１〜１１−Ｎに設けられたアンテナ８−１〜８−Ｎから送信させる。
【００２５】
例えば、避難を要する事故が発生した場合、予め各区間１１−１〜１１−Ｎ毎に作成されていた避難箇所（外部への避難通路入り口の設置箇所）を表す画像情報を区間１１−１〜１１−Ｎ別に出力し、アンテナ８−１〜８−Ｎから送信させる。したがって、避難通路入り口の設置位置が各区間１１-１〜１１-Ｎ毎に異なっていても、各区間に存在する車両のドライバーは、その区間における避難通路入り口の位置を的確に把握することができ、安全性確保の上で効果大である。
【００２６】
或いは、区間１１-４で車両火災が発生した場合、この区間１１-４で車両火災が発生したことが放送されると共に、他の区間１１-１〜１１-３及び１１-５〜１１-Ｎでは、車両火災発生箇所から各自区間までの距離が数値データや、トンネルを模擬した図形などを用いて視覚的に表示される。このため、各区間に存在する人は、車両のテレビ受像機により車両火災発生箇所から各自区間までの距離を的確に把握することができ、安全性確保に効果がある。
【００２７】
上記実施の形態では、予め特定された空間として道路トンネルを例示したが、本発明はこれ以外にも適用できる。例えば、予め特定された空間は大規模地下街でもよく、この地下街を複数区間に区分し、その区間に適応した情報を各区間別にワンセグ放送して、各区間に存在する人が所有する携帯機器に受信させるように構成してもよい。
【００２８】
この場合も、各区間に存在する人が、その区間に固有の避難通路の位置を的確に把握できる。或いは、災害状況の把握や、災害発生箇所から各自区間までの距離を的確に把握できる等、安全性確保に効果大である。
【００２９】
なお、区間放送作成装置９が作成する放送データは、映像、画像、音声、図等、どのような形態でもかまわない。
【００３０】
また、必ずしも一般放送局からの電波を再送信する必要は無く、受信装置２や切換器３を省略し、区間放送作成装置９が作成した情報だけを対応する区間に送信するようにしてもよい。
【００３１】
このように本発明は、事故や災害があった場合に、走行する車両の位置に応じて、被災状況や避難誘導等に関する緊急放送することで、二次災害の拡大等を防止することができ、安全性確保に効果大である。
【符号の説明】
【００３２】
２…受信装置
３-１〜３-Ｎ…切換器
８-１〜８-Ｎ…送信用のアンテナ
９…区間放送作成装置
１１…特定された空間（トンネル）
１１-１〜１１-Ｎ…区間
【図１】
2010219632.tif 000003